(57)【特許請求の範囲】
【請求項１】
磁気ディスクと、
上記磁気ディスクを支持および回転駆動するモータと、
上記磁気ディスクに対して情報のリード／ライトを行う磁気ヘッドと、
ほぼ密閉構造を有しているとともに、上記磁気ディスク、モータ、および磁気ヘッドを収納した筐体と、
上記筐体内に配置されたフィルタと、を備え、
上記フィルタは、第１および第２通気口を有した容器と、酸化した金属成分を含みガス成分を酸化する粉末状の酸化剤と、上記酸化剤により酸化された酸性ガスを捕集するアルカリ処理された粒状の捕集剤と、を有し、上記酸化剤および捕集剤は、上記酸化剤が上記捕集剤の各粒を囲むように散乱して混合された状態で上記容器内に収納され、上記第１および第２通気口の間に位置していることを特徴とする磁気ディスク装置。
【請求項２】
磁気ディスクと、
上記磁気ディスクを支持および回転駆動するモータと、
上記磁気ディスクに対して情報のリード／ライトを行う磁気ヘッドと、
ほぼ密閉構造を有しているとともに、上記磁気ディスク、モータ、および磁気ヘッドを収納した筐体と、
上記筐体内に配置されたフィルタと、を備え、
上記フィルタは、第１および第２通気口を有した容器と、酸化した金属成分を含みガス成分を酸化する酸化剤により形成され、上記第１通気口を塞ぐように上記容器内に配置された第１酸化部と、酸化した金属成分を含みガス成分を酸化する酸化剤により形成され、上記第２通気口を塞ぐように上記容器内に配置された第２酸化部と、上記酸化剤により酸化された酸性ガスを捕集するアルカリ処理された捕集剤により形成され、上記容器内に収納され上記第１酸化部と第２酸化部との間に位置した捕集部と、を有し、
上記筐体は、筐体内部と筐体外部とを連通した通気孔を有し、
上記フィルタは、上記通気孔を塞ぐように、かつ、上記第１通気口が上記通気孔と連通して上記筐体内に配置され、
上記容器は、上記第１酸化部と捕集部とを仕切った第１仕切り部と、第１仕切り部に設けられ上記第１酸化部と捕集部との間の空気の流通を許容する第１連通口と、上記第２酸化部と捕集部とを仕切った第２仕切り部と、第２仕切り部に設けられ上記第２酸化部と捕集部との間の空気の流通を許容する第２連通口と、を有し、上記第１連通口は、上記第１仕切り部の内、上記筐体の通気孔から離れた端部に設けられ、上記第２連通口は、上記第２仕切り部の内、上記第１連通口から離れた端部に設けられている
ていることを特徴とする磁気ディスク装置。
【請求項３】
上記酸化剤は、VIIAないしVIIIA 族金属の内、少なくとも１つの金属の酸化物を含んでいることを特徴とする請求項１又は２に記載の磁気ディスク装置。
【請求項４】
上記捕集剤は、アルカリ処理されたアルミナ粒、活性炭、あるいは繊維状物質の少なくとも１つを含んでいることを特徴とする請求項１ないし３のいずれか１項に記載の磁気ディスク装置。
【発明の詳細な説明】
【０００１】
【発明の属する技術分野】
本発明は、磁気ディスク装置に関し、特に、筐体内に配設されたケミカルフィルタを備えた磁気ディスク装置に関する。
【０００２】
【従来の技術】
一般に、磁気ディスク装置、例えば、ハードディスクドライブ（以下、ＨＤＤと称する）は、磁気ディスク、磁気ディスクを回転駆動するスピンドルモータ、磁気ディスクに対してデータのリード／ライトを行う磁気ヘッド、磁気ヘッドを支持および移動させるヘッドサスペンションアッセンブリ、このヘッドサスペンションアッセンブリを駆動するＶＣＭ等を備え、これらはほぼ密閉構造の筐体に収容されている。このような密閉構造とした場合、リード／ライト時、磁気ディスクに対する磁気ヘッドの浮上動作を安定させることができるとともに、筐体内への塵、挨等の混入を防止することができる。
【０００３】
上記のように筐体を略密閉構造とした場合、環境温度の急激な変化により、ＨＤＤ内の気圧と外気の空気圧とに差異が生じ、筐体の破損を招く恐れがある。その対策として、筐体には筐体の内外を連通するための微小な通気孔が設けられ、この通気孔には外気からの塵挨やガス成分の侵入を防ぐケミカルフィルタが取り付けられている。
【０００４】
一般に、この種のケミカルフィルタは活性炭を用いて構成されている。そして、活性炭は、酸アルカリの中和（イオン）反応を用いてガス成分を捕集する仕組みになっている。例えば、ＨＤＤの内容積を１５ｃｍ３とし、ＨＤＤ稼動時に約１０℃の温度変化が発生したとすると、シャルルの法則に従い、約０．５ｃｍ３の外気が通気孔を通って筐体内に流入する。そして、流入する外気は、必ずケミカルフィルタを通過し、外気中の塵挨やガス成分はケミカルフィルタによって捕集される。
【０００５】
【発明が解決しようとする課題】
通常、ＨＤＤの内部に酸性ガスが存在することは望ましくない。特に、硫酸イオンはＨＤＤの部品上に吸着して脱離しないため、ＨＤＤ部品を腐食させるという問題が生じる。ＨＤＤ部品上に吸着した硫酸イオンはほとんどが外気から進入した硫化水素イオンと推定される。
【０００６】
この硫化水素は化学的に安定でイオン化できない。そのため、活性炭では捕集効率が悪く、硫化水素はＨＤＤ内部にそのまま進入しＨＤＤ内に留まってしまう。ＨＤＤ内部に進入した硫化水素は、常温常湿であれば硫化水素のままで反応性の低い状態を保つ。しかしながら、高温高湿になると、硫化水素は酸化しはじめ二酸化硫黄から硫酸となる。そして、硫酸は反応性が強いため、ＨＤＤの各部品の表面に付着してしまう。一旦、ＨＤＤ内の部品に付着した硫酸は脱離することがほとんどなく、部品の腐食を生じる可能性が高い。
【０００７】
この発明は以上の点に鑑みなされたもので、その目的は、硫化水素、アンモニア、一酸化窒素等のガス成分を効率よく排除し信頼性の向上した磁気ディスク装置を提供することにある。
【０００８】
【課題を解決するための手段】
上記目的を達成するため、この発明に係る磁気ディスク装置は、磁気ディスクと、上記磁気ディスクを支持および回転駆動するモータと、上記磁気ディスクに対して情報のリード／ライトを行う磁気ヘッドと、ほぼ密閉構造を有しているとともに、上記磁気ディスク、モータ、および磁気ヘッドを収納した筐体と、上記筐体内に配置されたフィルタと、を備え、上記フィルタは、  上記フィルタは、第１および第２通気口を有した容器と、酸化した金属成分を含みガス成分を酸化する粉末状の酸化剤と、上記酸化剤により酸化された酸性ガスを捕集するアルカリ処理された粒状の捕集剤と、を有し、上記酸化剤および捕集剤は、上記酸化剤が上記捕集剤の各粒を囲むように散乱して混合された状態で上記容器内に収納され、上記第１および第２通気口の間に位置している
ことを特徴としている。
【００１０】
また、この発明に係る磁気ディスク装置は、磁気ディスクと、上記磁気ディスクを支持および回転駆動するモータと、上記磁気ディスクに対して情報のリード／ライトを行う磁気ヘッドと、ほぼ密閉構造を有しているとともに、上記磁気ディスク、モータ、および磁気ヘッドを収納した筐体と、上記筐体内に配置されたフィルタと、を備え、  
上記フィルタは、第１および第２通気口を有した容器と、酸化した金属成分を含みガス成分を酸化する酸化剤により形成され、上記第１通気口を塞ぐように上記容器内に配置された第１酸化部と、酸化した金属成分を含みガス成分を酸化する酸化剤により形成され、上記第２通気口を塞ぐように上記容器内に配置された第２酸化部と、上記酸化剤により酸化された酸性ガスを捕集するアルカリ処理された捕集剤により形成され、上記容器内に収納され上記第１酸化部と第２酸化部との間に位置した捕集部と、を有し、  
上記筐体は、筐体内部と筐体外部とを連通した通気孔を有し、  
上記フィルタは、上記通気孔を塞ぐように、かつ、上記第１通気口が上記通気孔と連通して上記筐体内に配置され、  
上記容器は、上記第１酸化部と捕集部とを仕切った第１仕切り部と、第１仕切り部に設けられ上記第１酸化部と捕集部との間の空気の流通を許容する第１連通口と、上記第２酸化部と捕集部とを仕切った第２仕切り部と、第２仕切り部に設けられ上記第２酸化部と捕集部との間の空気の流通を許容する第２連通口と、を有し、上記第１連通口は、上記第１仕切り部の内、上記筐体の通気孔から離れた端部に設けられ、上記第２連通口は、上記第２仕切り部の内、上記第１連通口から離れた端部に設けられていることを特徴としている。
【００１１】
上記のように構成された磁気ディスク装置によれば、筐体内に流入するガス成分および筐体内におけるガス成分、例えば、硫化水素ガス、アンモニア、一酸化窒素等をフィルタの酸化剤によって酸化し、生成された酸化物を、同じフィルタ内に設けられた捕集剤との中和（イオン）反応により捕獲することができる。従って、筐体内の部品に悪影響を与えるガス成分を効率よく排除し信頼性の向上した磁気ディスク装置を提供することができる。
【００１２】
また、この発明に係る磁気ディスク装置によれば、上記酸化剤は、ＶＩＩＡないしＶＩＩＩＡ  族金属の内、少なくとも１つの金属の酸化物を含んでいることを特徴としている。このような金属の酸化物は、空気と接触することにより再び酸化され、半永久的にガス成分の酸化効果を維持することができる。
【００１３】
【発明の実施の形態】
以下、図面を参照しながら、この発明の磁気ディスク装置をＨＤＤに適用した実施の形態について詳細に説明する。
図１に示すように、ＨＤＤは、ケース本体１０およびトップカバー１４を有したほぼ密閉構造の筐体１１を備えている。ケース本体１０は上面が開口した矩形箱状に形成され、トップカバー１４は複数のねじ１２によってケース本体にねじ止めされケース本体の上面開口を閉塞している。
【００１４】
ケース本体１０内には、磁気記録媒体としての２枚の磁気ディスク１６、これらの磁気ディスク１６を支持および回転させるスピンドルモータ１８、磁気ディスク１６に対して情報のリード／ライトを行う複数の磁気ヘッド２０、これらの磁気ヘッド２０を支持したキャリッジアッセンブリ２２、キャリッジアッセンブリ２２を回動および位置決めするボイスコイルモータ（以下、ＶＣＭと称する）２４、プリアンプ等を有した基板ユニット２６等が収納されている。
【００１５】
また、ケース本体１０の底壁外面には、スピンドルモータ１８、ボイスコイルモータ２４、磁気ヘッド２０の動作を制御する図示しないプリント回路基板がねじ止めされている。
【００１６】
キャリッジアッセンブリ２２は、ケース本体１０の底壁上に固定されたほぼ円筒形状の軸受組立体２８と、この軸受組立体によって回動自在に支持された４組のヘッドサスペンションアッセンブリと、を備えている。各ヘッドサスペンションアッセンブリは、軸受組立体２８から磁気ディスク１６に向かって延出したアーム３０と、アームの先端に固定された細長いサスペンション３２と、を有し、磁気ヘッド２０は図示しないスライダを介してサスペンションの先端に取り付けられている。
【００１７】
４組のヘッドサスペンションアッセンブリは、２つの磁気ヘッド２０が磁気ディスク１６を間に挟んで対向するように配設されている。従って、キャリッジアッセンブリ２２が軸受組立体２８を中心として回動することにより、各磁気ヘッド２０は、対応する磁気ディスク１６の任意のトラックへ移動可能となっている。
【００１８】
ＶＣＭ２４は、ケース本体１０の底壁に固定された一対のヨーク３４と、一方のヨーク内面に固定された図示しない永久磁石と、キャリッジアッセンブリ２２に固定され一方のヨークと永久磁石との間を移動可能な図示しないボイスコイルと、を備えている。そして、ボイスコイルへ通電することにより磁界が発生し、永久磁石から発生する磁界との相互作用により、キャリッジアッセンブリ２２が回動される。
【００１９】
一方、図１および図２に示すように、筐体１１内でケース本体１２の底壁１２ａ上には、筐体の内外で発生したガス成分、例えば、硫化水素ガスを捕集するケミカルフィルタ５０が設けられ、基板ユニット２６の近傍に位置している。
【００２０】
図２に示すように、ケミカルフィルタ５０は、例えば樹脂によって形成された角筒形状の容器５２を有している。容器５２の一端側の開口は第１通気口５４ａ、他端の開口は第２通気口５４ｂを構成している。そして、これら第１および第２通気口５４ａ、５４ｂは、例えば、ポリプロピレンやポリカーボネイト等の樹脂材で形成された第１および第２フィルタ５６ａ、５６ｂによってそれぞれ閉じられている。これら第１および第２フィルタ５６ａ、５６ｂは、通気性を有する蓋として機能するとともに、集塵機能を有している。
【００２１】
また、容器５２内には、第１酸化部５８ａ、捕集部６０、および第２酸化部５８ｂが３層に積層した状態で収納されている。第１酸化部５８ａは、ガス成分を酸化する酸化剤によって構成され、第１フィルタ５６ａに重ねて、かつ、第１通気口５４ａを塞ぐように配置されている。同じく、第２酸化部５８ｂは、ガス成分を酸化する酸化剤によって構成され、第２フィルタ５６ｂに重ねて、かつ、第２通気口５４ｂを塞ぐように配置されている。また、捕集部６０は、酸化ガスを捕集する捕集剤によって構成され、第１および第２酸化部５８ａ、５８ｂの間に挟持された状態で配置されている。
【００２２】
第１および第２酸化部５８ａ、５８ｂは、酸化剤として、例えば、コバルト酸化物（Ｃｏ２Ｏ３）の粉末を５ｍｇずつ用いて構成されている。酸化剤はＩＶＡ  〜ＩＩＢ  族金属であれば硫化水素の酸化反応を促すが、触媒としての働きを考慮すると、ＶＩＩＡ〜ＶＩＩＩＡ  族金属（Ｍａ、Ｔｅ、Ｒｅ、Ｆｅ、Ｃｏ、Ｎｉ、Ｒｕ、Ｒｈ、Ｐｄ、Ｏｓ、Ｉｒ、Ｐｔ）等のいずれか、又は組合わせが好ましい。
【００２３】
また、捕集部６０は、捕集剤としてアルカリ処理された活性炭を１５ｍｇ用いて構成されている。その他、捕集剤としては、アルカリ処理されたアルミナ粒、繊維状物質等を用いることができる。
【００２４】
一方、ケース本体１２の底壁１２ａには、筐体１１内部と外部とを連通した通気孔６２が形成されている。そして、ケミカルフィルタ５０は、通気孔６２を塞ぐように底壁１２ａ上に固定されている。ここでは、ケミカルフィルタ５０は、第１フィルタ５６ａが底壁１２ａの内面に接触した状態で、かつ、容器５２によって通気孔５０の周囲を囲むように配置されている。それにより、ケミカルフィルタ５０の第１通気口５４ａは第１フィルタ５６ａを介して通気孔６２に連通し、また、第２通気口５４ｂは、第２フィルタ５６ｂを介して筐体１１内部に連通している。そのため、通気孔６２を通して筐体１１の内外を流通する空気は、常にケミカルフィルタ５０を通過するように構成されている。
【００２５】
例えば、通気孔６２を通して筐体１１内に入る外気は、第１フィルタ５６ａを介して第１酸化部５８ａ、捕集部６０、第２酸化部５８ｂを通り、更に、第２フィルタ５６ｂを介して筐体１１内に流入する。第１酸化部５８ａを通過する際、外気中のガス成分、例えば、硫化水素ガスは、酸化剤によって酸化され二酸化硫黄や硫酸イオンを生成する。そして、生成された二酸化硫黄や硫酸イオンは捕集部６０を通過する際、アルカリ処理された捕集剤との中和（イオン）反応により捕集部に捕集される。これにより、外気は硫化水素ガスが除去された状態で第２酸化部５８ｂおよび第２フィルタ５６ｂを介して筐体１１内に流入する。
【００２６】
一方、通気孔６２を通って筐体１１内から外部に流出する空気は、第２フィルタ５６ｂを介して第２酸化部５８ｂ、捕集部６０、第１酸化部５８ａを通り、更に、通気孔６２を介して筐体外に流出する。第２酸化部５８ｂを通過する際、空気中の硫化水素ガスは、酸化剤によって酸化され二酸化硫黄や硫酸イオンを生成する。そして、生成された二酸化硫黄や硫酸イオンは捕集部６０を通過する際、アルカリ処理された捕集剤との中和（イオン）反応により捕集部に捕集される。これにより、筐体１１内の空気は硫化水素ガスが除去された状態で第１酸化部５８ａおよび第１フィルタ５６ａ、通気孔６２を介して筐体１１外に排出される。
【００２７】
なお、第１および第２酸化部５８ａ、５８ｂは空気とより多く接触する場所に配置することが望ましい。そして、これら第１および第２酸化部５８ａ、５８ｂを構成する酸化剤は、硫化水素ガス等を酸化することによって還元されるが、空気との接触により再び酸化される。従って、酸化剤は酸化能力が回復し、半永久的に利用することが可能となる。
【００２８】
上記のように構成されたＨＤＤを１ｐｐｍの硫化水素ガス暴露装置内に配置し、３０分毎にＨＤＤを作動させることにより、通気孔６２を介して筐体１１の内部と外部との間で１００回の空気呼吸実験を行った。その後、暴露装置からＨＤＤを取り出し、更に、ケミカルフィルタ５０を取り出して捕集部６０中に捕集されたイオウ成分をＬＥＣＯ社製ＣＳ分析装置を用いて分析した。分析の結果、
理論値７０ｎｇ−Ｓに対して、６２ｎｇ−Ｓのイオウ成分が捕集されているという結果を得た。従って、ケミカルフェイルタ５０により、硫化水素の酸化物、つまり二酸化硫黄や硫酸イオンを約８８％以上捕集できることが解る。
【００２９】
上記のように構成されたＨＤＤによれば、ケミカルフィルタ５０を備え、筐体１１の内外で生じたガス成分、例えば、硫化水素ガス等をケミカルフィルタの第１あるいは第２酸化部５８ａ、５８ｂによって酸化し、生成された酸化物を、同じケミカルフィルタ内に設けられた捕集部６０との中和（イオン）反応により捕獲することができる。これにより、筐体１１内の部品に悪影響を与えるガス成分を効率よく排除し、ＨＤＤの信頼性を向上させることができる。
【００３０】
また、ケミカルフィルタ５０において、酸化部および捕集部は積層構造をなすように配置されているため、ケミカルフィルタ内に流入する空気は、必ず酸化部を通った後に捕集部に流入する。従って、空気中のガス成分を酸化剤によって確実に酸化させ、捕集剤によって効率良く捕集することができる。
【００３１】
次に、この発明の第２の実施の形態に係るＨＤＤのケミカルフィルタ５０について説明する。図３に示すように、第２の実施の形態によれば、ケミカルフィルタ５０の容器５２は、第１酸化部５８ａと捕集部６０との間を仕切った第１仕切り部６４ａ、および第２酸化部５８ｂと捕集部６０との間を仕切った第２仕切り部６４ｂを一体に備えて形成されている。また、容器５２は、第１フィルタに代えて設けられた底壁６６を一体に備え、この底壁外面が筐体１１の底壁１２ａに接触している。
【００３２】
容器５２の底壁６６の一端部には第１流通口５４ａが形成され、筐体１１の底壁１２ａに設けられた流通孔６２と連通している。また、第１仕切り部６４ａには、第１酸化部５８ａと捕集部６０とを連通した第１連通孔６８ａが形成されている。この第１連通孔６８ａは、第１仕切り部６４ａの内、第１通気口５４ａから離れた端部に設けられている。更に、第２仕切り部６４ｂには、第２酸化部５８ｂと捕集部６０とを連通した第２連通孔６８ｂが形成されている。この第２連通孔６８ｂは、第２仕切り部６４ｂの内、第１連通口６８ａから離れた端部に設けられている。
【００３３】
その他の構成は前述した第１の実施の形態と同一であり、同一の部分には同一の参照符号を付してその詳細な説明を省略する。
上記のように構成された第２の実施の形態によれば、通気孔６２を通して筐体１１内に入る外気は、第１通気口５４ａを介して第１酸化部５８ａに流入し、更に、第１連通口６８ａを介して捕集部６０に流入する。そして、捕集部６０を流通した外気は、第２連通口６８ｂを介して第２酸化部５８ｂに流入した後、第２フィルタ５６ｂを通って筐体１１内に流入する。第１酸化部５８ａを通過する際、外気中のガス成分、例えば、硫化水素ガスは、酸化剤によって酸化され二酸化硫黄や硫酸イオンを生成する。そして、生成された二酸化硫黄や硫酸イオンは捕集部６０を通過する際、アルカリ処理された捕集剤との中和反応により捕集部に捕集される。これにより、外気は硫化水素ガスが除去された状態で第２酸化部５８ｂおよび第２フィルタ５６ｂを介して筐体１１内に流入する。
【００３４】
一方、通気孔６２を通って筐体１１内から外部に流する空気は、第２フィルタ５６ｂを介して第２酸化部５８ｂに流入した後、第２連通口６８ｂを通って捕集部６０に流入する。そして、捕集部６０を流通した空気は、第１連通口６８ａを介して第１酸化部５８ａに流入し、更に、第１流通口５４ａおよび通気孔６２を介して筐体外に流出する。第２酸化部５８ｂを通過する際、空気中の硫化水素ガスは、酸化剤によって酸化され二酸化硫黄や硫酸イオンを生成する。そして、生成された二酸化硫黄や硫酸イオンは捕集部６０を通過する際、アルカリ処理された捕集剤との中和反応により捕集部に捕集される。これにより、筐体１１内の空気は硫化水素ガスが除去された状態で第１酸化部５８ａ、第１流通口５４ａ、および通気孔６２を順に通って筐体１１外に排出される。
【００３５】
以上のように構成された第２の実施の形態においても、前述した第１の実施の形態と同様の作用効果を得ることができる。更に、第２の実施の形態によれば、第１酸化部５８ａと捕集部６０とは第１仕切り部６４ａによって仕切られ、また、第２酸化部５８ｂと捕集部６０とは第２仕切り部６４ｂによって仕切られている。そして、第１仕切り部６８ａに形成された第１連通口６８ａは通気孔６２から離れて設けられ、同様に、第２仕切り部６８ｂに形成された第２連通口６８ｂは第１連通口６８ａから離れて設けられている。そのため、流通孔６２を通って第１酸化部５８ａに流入した外気は、第１酸化部内を長い距離に亘って流れた後、捕集部６０に流入し、更に、捕集部６０に流入した外気は、捕集部内を長い距離に亘って流れた後、第２酸化部５８ａに流入する。したがって、ケミカルフィルタ５０内に流入した外気中のガス成分を第１酸化部５８ａによって確実に酸化し、かつ、生成された酸化物を捕集部６０によって確実に捕集することができる。
【００３６】
なお、第２の実施の形態において、容器５２は、第２フィルタ５４ｂに代えて設けられた天壁を一体に備え、この天壁に第２通気口を設けた構成としても良い。この場合、第２通気口を第２流通口６８ｂから離れた端部に設けることにより、上記第２の実施の形態と同様に、筐体内からケミカルフィルタ５０内に流入した空気中のガス成分を確実に酸化し、捕集することができる。
【００３７】
上述した実施の形態におけるケミカルフィルタでは、酸化剤および捕集剤を層状に分けて容器内に収納する構成としたが、図４および図５に示すように、酸化剤および捕集剤を混合した状態で容器５２内に収納した構成としても良い。
すなわち、この発明の第３の実施の形態に係るＨＤＤのケミカルフィルタ５０によれば、容器５２の第１および第２通気口５４ａ、５４ｂは、第１および第２フィルタ５６ａ、５６ｂによってそれぞれ閉じられている。そして、ケミカルフィルタ５０は、筐体１１の通気孔６２を塞ぐように底壁１２ａ上に固定されている。ここでは、ケミカルフィルタ５０は、第１フィルタ５６ａが底壁１２ａの内面に接触した状態で、かつ、容器５２によって通気孔５０の周囲を囲むように配置されている。
【００３８】
そして、容器５２内において、第１および第２フィルタ５６ａ、５６ｂの間には、ガス成分を酸化する酸化剤、および酸化ガスを捕集する捕集剤が混合した状態で収納されている。酸化剤および捕集剤は、それぞれ前述した実施の形態と同様のものを用いることができる。図５に示すように、混合状態において、酸化剤７０は、捕集剤７２の各粒を囲むように散乱して存在している。例えば、酸化剤としてコバルト酸化物の粉末を用いた場合、その粒径は１〜５００ｎｍ程度であり、捕集剤としてアルカリ処理された活性炭を用いた場合、その粒径は０．５〜１．０μｍ程度となっている。また、酸化剤と捕集剤の混合の割合は、１：１００程度に設定されている。
【００３９】
他の構成は前述した実施の形態と同一であり、同一の部分には同一の参照符号を付してその詳細な説明を省略する。
上記のように構成された第３の実施の形態においても、ケミカルフィルタ５０内を通る空気中のガス成分を酸化剤により酸化した後、生成された酸化物を捕集剤によって捕集し除去することができる。
【００４０】
なお、この発明は上述した実施の形態に限定されることなく、この発明の範囲内で種々変形可能である。例えば、筐体内におけるケミカルフィルタ５０の配設位置は任意に選択可能であり、図６に示すように、磁気ディスク１６の近傍で、筐体内の角部に設けても良い。この場合、ケミカルフィルタ５０に連通する通気孔６２は、筐体１１の側壁、底壁、カバーのいずれに形成してもよい。
【００４１】
【発明の効果】
以上詳述したように、本発明によれば、筐体の内に生じる硫化水素等のガス成分を効率よく排除し信頼性の向上した磁気ディスク装置を提供することができる。
【図面の簡単な説明】
【図１】この発明の実施の形態に係るＨＤＤを示す分解斜視図。
【図２】上記ＨＤＤの筐体内に設けられたケミカルフィルタを示す断面図。
【図３】この発明の第２の実施の形態に係るＨＤＤのケミカルフィルタを示す断面図。
【図４】この発明の第３の実施の形態に係るＨＤＤのケミカルフィルタを示す断面図。
【図５】第３の実施の形態に係るケミカルフィルタの酸化剤および捕集剤を拡大して示す図。
【図６】上記ケミカルフィルタの配置の変形例を概略的に示す平面図。
【符号の説明】
１０…ケース本体
１１…筐体
１４…トップカバー
１６…磁気ディスク
１８…スピンドルモータ
２０…磁気ヘッド
５０…ケミカルフィルタ
５２…容器
５４ａ…第１通気口
５４ｂ…第２通気口
５８ａ…第１酸化部
５８ｂ…第２酸化部
６０…捕集部
６２…通気孔
７０…酸化剤
７２…捕集剤
【図１】
0003617959.tif 000002
【図２】
0003617959.tif 000003
【図３】
0003617959.tif 000004
【図４】
0003617959.tif 000005
【図５】
0003617959.tif 000006
【図６】
0003617959.tif 000007